(57)【要約】【課題】個々の有権者を特定することなく、効果的に選挙投票を促進することを可能とする。【解決手段】選挙投票日に開催される各種イベントの識別情報と当該各イベントに集まる客の属性情報とを項目として含む選挙当日イベント情報を、イベント情報データベース４２に格納するイベント情報登録処理部１８と、投票に訪れた有権者の投票受付情報に基づき、有権者の属性ごとの投票状況情報を、投票状況データベース４４に記録する投票状況記録部２０と、記録された投票状況情報に基づき、投票促進が必要と判断された属性の有権者を、投票促進対象者として特定する投票促進対象者特定部２２と、投票促進対象者が集まるイベントの会場に設けられたメッセージ表示手段に向けて、投票促進メッセージを送信し表示させる投票促進メッセージ送信部２４とからシステムを構成する。【選択図】図１
2007164333.tif 000002
【特許請求の範囲】
【請求項１】
有権者の属性ごとに、投票数や投票率などの投票状況を把握し、投票促進を支援するシステムであって、
選挙投票日に開催される各種イベントの識別情報と、当該各イベントに集まる客の属性情報とを項目として含む選挙当日イベント情報とを、入力インターフェイスより取得しイベント情報データベースに格納するイベント情報登録処理部と、
投票に訪れた有権者の投票受付情報に基づき、有権者の属性ごとの投票状況情報を投票状況データベースに記録する投票状況記録部と、
前記記録された投票状況情報に基づき、投票促進が必要と判断された属性の有権者を、投票促進対象者として特定する投票促進対象者特定部と、
前記投票促進対象者が集まる前記イベントの会場に設けられたメッセージ表示手段に向けて、前記投票促進メッセージを送信し表示させる投票促進メッセージ送信部と、
を備えることを特徴とする選挙投票促進支援システム。
【請求項２】
請求項１において、
前記投票促進対象者特定部における、前記投票促進対象者を特定する処理は、
有権者の属性ごとに記録される、投票促進を必要とする投票情況であるか否かの基準を示す促進閾値情報が格納された促進閾値データベースを参照し、当該促進閾値情報と前記投票状況情報とを比較処理することにより実行されることを特徴とする選挙投票促進支援システム。
【請求項３】
請求項１において、
前記投票促進対象者特定部における、前記投票促進対象者を特定する処理は、
有権者の属性ごとの、前回以前の選挙投票時における過去投票状況情報が格納された過去投票状況データベースを参照し、当該過去投票状況情報と前記投票状況情報とを比較処理することにより実行されることを特徴とする選挙投票促進支援システム。
【請求項４】
請求項１において、
前記選挙投票促進支援システムは、
前記投票促進対象者が集まるイベントを、前記イベント情報データベースを参照し、投票促進イベントとして特定する投票促進イベント特定部と、
前記投票促進イベントの会場に設けられた前記メッセージ表示手段に対する、前記投票促進メッセージの送信勧告および当該投票促進メッセージの送信処理ボタンを、前記選挙投票促進支援システムのディスプレイ画面に表示するメッセージ送信勧告処理部と、
を備えることを特徴とする選挙投票促進支援システム。
【請求項５】
請求項１において、
前記イベント情報データベースに格納される前記選挙当日イベント情報は、イベントの会場地域に該当する選挙投票会場の情報を項目として含み、
前記投票状況データベースに記録される前記投票状況情報は、投票が行われた選挙投票会場の情報を項目として含み、
前記投票促進メッセージ送信部による前記投票促進メッセージの送信処理は、選挙投票会場ごとに実行されるとともに、当該選挙投票会場の地域に該当するイベント会場の前記メッセージ表示手段に向けて送信される、
ことを特徴とする選挙投票促進支援システム。
【請求項６】
有権者の属性ごとに、投票数や投票率などの投票状況を把握し、投票促進を支援する処理をコンピュータにて行う方法であって、該コンピュータが、
選挙投票日に開催される各種イベントの識別情報と、当該各イベントに集まる客の属性情報とを項目として含む選挙当日イベント情報とを、入力インターフェイスより取得し、イベント情報データベースに格納し、
投票に訪れた有権者の投票受付情報に基づき、有権者の属性ごとの投票状況情報を、投票状況データベースに記録し、
前記記録された投票状況情報に基づき、投票促進が必要と判断された属性の有権者を、投票促進対象者として特定し、
前記投票促進対象者が集まる前記イベントの会場に設けられたメッセージ表示手段に向けて、上記投票促進メッセージを送信し表示させる、
ことを特徴とする選挙投票促進支援方法。
【請求項７】
有権者の属性ごとに、投票数や投票率などの投票状況を把握し、投票促進を支援する処理をコンピュータに実行させるためのプログラムであって、
選挙投票日に開催される各種イベントの識別情報と、当該各イベントに集まる客の属性情報とを項目として含む選挙当日イベント情報とを、入力インターフェイスより取得し、イベント情報データベースに格納するステップと、
投票に訪れた有権者の投票受付情報に基づき、有権者の属性ごとの投票状況情報を、投票状況データベースに記録するステップと、
前記記録された投票状況情報に基づき、投票促進が必要と判断された属性の有権者を、投票促進対象者として特定するステップと、
前記投票促進対象者が集まる前記イベントの会場に設けられたメッセージ表示手段に向けて、上記投票促進メッセージを送信し表示させるステップと、
を含むことを特徴とする選挙投票促進支援プログラム。
【発明の詳細な説明】
【技術分野】
【０００１】
本発明は、選挙投票促進支援システム、選挙投票促進支援方法、および選挙投票促進支援プログラムに関するものである。
【背景技術】
【０００２】
有権者に対する選挙投票の促進を行う技術が提案されている。例えば特許文献１のように、選挙投票呼びかけ装置であって、選挙の投票を無人で行えるようにするとの目的の下、選挙区内の全有権者の情報を持つデータベースと投票所に来た有権者の情報を読み取る入場券読み取り手段と自動電話発呼手段と投票案内音声データ蓄積手段とを備え、前記入場券読み取り手段からの情報と前記データベースに基づき未投票の有権者を抽出し、前記自動電話発呼手段と投票案内音声データ蓄積手段を用いて前記未投票の有権者に電話をかけることを特徴とする選挙投票呼びかけ装置などが提案されている。
【特許文献１】特開２００１−２０９７３４号公報
【発明の開示】
【発明が解決しようとする課題】
【０００３】
ところで、上記背景技術のように、個々の有権者を特定し、選挙投票を呼びかける技術思想は存在する。ところがその技術思想は、電話を用いて特定された有権者に対し発呼して選挙投票を呼びかけても、当該有権者が不在である場合や、子供など当該有権者以外の者が録音された音声メッセージを聴いてしまう場合などがあり、当該有権者に投票促進メッセージが伝達されないことも多く、効果的な選挙投票支援手段たり得なかった。
【０００４】
そこで本発明は上記課題を鑑みてなされたものであり、個々の有権者を特定することなく、効果的に選挙投票を促進することが可能な投票促進システム、選挙投票促進支援方法、および選挙投票促進支援プログラムを提供することを主たる目的とする。
【課題を解決するための手段】
【０００５】
上記課題を解決する本発明の選挙投票促進支援システムは、有権者の属性ごとに、投票数や投票率などの投票状況を把握し、投票促進を支援するシステムであって、選挙投票日に開催される各種イベントの識別情報と、当該各イベントに集まる客の属性情報とを項目として含む選挙当日イベント情報とを、入力インターフェイスより取得しイベント情報データベースに格納するイベント情報登録処理部と、投票に訪れた有権者の投票受付情報に基づき、有権者の属性ごとの投票状況情報を投票状況データベースに記録する投票状況記録部と、前記記録された投票状況情報に基づき、投票促進が必要と判断された属性の有権者を、投票促進対象者として特定する投票促進対象者特定部と、前記投票促進対象者が集まる前記イベントの会場に設けられたメッセージ表示手段に向けて、前記投票促進メッセージを送信し表示させる投票促進メッセージ送信部と、を備える。
【０００６】
また、本発明の選挙投票促進支援システムの、前記投票促進対象者特定部における、前記投票促進対象者を特定する処理は、有権者の属性ごとに記録される、投票促進を必要とする投票情況であるか否かの基準を示す促進閾値情報が格納された促進閾値データベースを参照し、当該促進閾値情報と前記投票状況情報とを比較処理することにより実行されるとすれば好適である。
【０００７】
また、本発明の選挙投票促進支援システムの、前記投票促進対象者特定部における、前記投票促進対象者を特定する処理は、有権者の属性ごとの、前回以前の選挙投票時における過去投票状況情報が格納された過去投票状況データベースを参照し、当該過去投票状況情報と前記投票状況情報とを比較処理することにより実行されるとすれば好適である。
【０００８】
また、本発明の選挙投票促進支援システムは、前記投票促進対象者が集まるイベントを、前記イベント情報データベースを参照し、投票促進イベントとして特定する投票促進イベント特定部と、前記投票促進イベントの会場に設けられた前記メッセージ表示手段に対する、前記投票促進メッセージの送信勧告および当該投票促進メッセージの送信処理ボタンを、前記選挙投票促進支援システムのディスプレイ画面に表示するメッセージ送信勧告処理部と、を備えるとすれば好適である。
【０００９】
また、本発明の選挙投票促進支援システムにおいて、前記イベント情報データベースに格納される前記選挙当日イベント情報は、イベントの会場地域に該当する選挙投票会場の情報を項目として含み、前記投票状況データベースに記録される前記投票状況情報は、投票が行われた選挙投票会場の情報を項目として含み、前記投票促進メッセージ送信部による前記投票促進メッセージの送信処理は、選挙投票会場ごとに実行されるとともに、当該選挙投票会場の地域に該当するイベント会場の前記メッセージ表示手段に向けて送信される、とすれば好適である。
【００１０】
また、本発明の選挙投票促進支援方法は、有権者の属性ごとに、投票数や投票率などの投票状況を把握し、投票促進を支援する処理をコンピュータにて行う方法であって、該コンピュータが、選挙投票日に開催される各種イベントの識別情報と、当該各イベントに集まる客の属性情報とを項目として含む選挙当日イベント情報とを、入力インターフェイスより取得し、イベント情報データベースに格納し、投票に訪れた有権者の投票受付情報に基づき、有権者の属性ごとの投票状況情報を、投票状況データベースに記録し、前記記録された投票状況情報に基づき、投票促進が必要と判断された属性の有権者を、投票促進対象者として特定し、前記投票促進対象者が集まる前記イベントの会場に設けられたメッセージ表示手段に向けて、上記投票促進メッセージを送信し表示させる、ことを特徴とする。
【００１１】
また、本発明の選挙投票促進支援プログラムは、有権者の属性ごとに、投票数や投票率などの投票状況を把握し、投票促進を支援する処理をコンピュータに実行させるためのプログラムであって、選挙投票日に開催される各種イベントの識別情報と、当該各イベントに集まる客の属性情報とを項目として含む選挙当日イベント情報とを、入力インターフェイスより取得し、イベント情報データベースに格納するステップと、投票に訪れた有権者の投票受付情報に基づき、有権者の属性ごとの投票状況情報を、投票状況データベースに記録するステップと、前記記録された投票状況情報に基づき、投票促進が必要と判断された属性の有権者を、投票促進対象者として特定するステップと、前記投票促進対象者が集まる前記イベントの会場に設けられたメッセージ表示手段に向けて、上記投票促進メッセージを送信し表示させるステップと、を含む。
【００１２】
その他、本願が開示する課題、及びその解決方法は、発明の実施の形態の欄、及び図面により明らかにされる。
【発明の効果】
【００１３】
本発明によれば、個々の有権者を特定することなく、効果的に選挙投票を促進することが可能となる。
【発明を実施するための最良の形態】
【００１４】
−−−ネットワーク構成−−−
以下に本発明の実施形態について図面を用いて詳細に説明する。図１は本実施形態における選挙投票促進支援システム（以下、適宜「システム」という）１０を含むネットワーク構成図である。本システム１０は、有権者の、性別や年齢層などの属性ごとに、投票数や投票率などの投票状況を把握し、かつ投票促進を支援するシステム１０であって、当該選挙の投票促進活動担当者などがユーザとなり使用するものである。
【００１５】
本システム１０は、書き換え可能メモリなどのプログラムデータベースに格納されたプログラムをメモリ１０ａに読み出し、演算装置たるＣＰＵ１０ｂにより実行する。また、システム１０は、コンピュータ装置が一般に備えている各種キーボードやボタン類、ディスプレイなどの入出力インターフェース１０ｃを備えている。また、後述する選挙会場端末１２やイベント会場端末１４などと、例えばインターネットやＬＡＮ、シリアル・インターフェース通信線などのネットワーク１６を介して接続されており、それら端末１２、１４などとの間でデータ授受を実行する通信部１０ｄなどを有している。
【００１６】
また、システム１０は、イベント情報登録処理部１８、投票状況記録部２０、投票促進対象者特定部２２、投票促進メッセージ送信部２４、投票促進イベント特定部２６、メッセージ送信勧告処理部２８などの各種機能部を備えている。
【００１７】
これら各種機能部１８〜２８と通信部１０ｄとの間ではＩ／Ｏ部１０ｅがデータのバッファリングや各種仲介処理を実行している。各種機能部１８〜２８は、ハードウェアとして実現してもよいし、メモリやＨＤＤ（Ｈａｒｄ  Ｄｉｓｋ  Ｄｒｉｖｅ）などの適宜な記憶装置に格納したプログラムとして実現することとしてもよい。後者の場合、ＣＰＵ１０ｂがプログラム実行に合わせ、記憶装置より該当するプログラムをメモリに読み出すことによって、これを実行することとなる。
【００１８】
システム１０とネットワーク１６を介して接続されており、各選挙会場に設けられる選挙会場端末１２は、投票に訪れた有権者をシステム１０が備える有権者情報データベース３０により照合し、かつまた当該有権者が行った投票行為を記録するための投票受付情報を入力するための投票受け受け入力部３２を備えている。投票受け受け入力部３２は具体的には、キーボードやバーコードリーダー、ハンディターミナルなどを使用することができる。また、選挙会場端末１２は、システム１０との間で投票受付情報などのデータを授受する通信部３４を備えている。投票受付情報には、投票時刻に関する情報が含まれている。
【００１９】
選挙会場端末１２は、システム１０と同様、書き換え可能メモリなどのプログラムデータベースに格納されたプログラムをメモリに読み出し、演算装置たるＣＰＵにより実行することとすればよい。また、選挙会場端末１２は、コンピュータ装置が一般に備えているボタン類、ディスプレイなど、上記投票受け受け入力部３２の他にも通常の入出力インターフェースを備えている。また、入力された投票受付情報を処理するため、およびシステム１０から受信したデータを処理するためなどの各種機能部を備えている。それら各種機能部と通信部との間ではＩ／Ｏ部がデータのバッファリングや各種仲介処理を実行している。各種機能部は、ハードウェアとして実現してもよいし、メモリやＨＤＤ（Ｈａｒｄ  Ｄｉｓｋ  Ｄｒｉｖｅ）などの適宜な記憶装置に格納したプログラムとして実現することとしてもよい。後者の場合、ＣＰＵがプログラム実行に合わせ、記憶装置より該当するプログラムをメモリに読み出すことによって、これを実行することとなる。選挙会場端末１２が備えるメモリ、ＣＰＵ、投票受け受け入力部３２以外の入出力インターフェース、各種機能部、Ｉ／Ｏ部などは図示省略している。
【００２０】
システム１０とネットワーク１６を介して接続されるイベント会場端末１４は、選挙投票日当日に開催されるイベントのイベント会場に設置される端末であって、例えば電光掲示板や各種インターネット端末などのイベント客の目に付きやすいメッセージ表示手段３６をコントロールするための端末である。このメッセージ表示手段３６に、後述する投票促進メッセージが表示される。メッセージ表示手段３６は、当該選挙の投票促進のために特別に設けるよりも、もともとイベント会場に備えられていたものを利用することが、コスト面などから好ましい。イベント会場端末１４は、必ずしも各イベント会場に設置される必要はなく、ネットワーク１６構成上のいかなる地点に設けられてもよい。
【００２１】
イベント会場端末１４は、例えばシステム１０の投票促進メッセージ送信部２４より送信される投票促進メッセージなどの各種データを、システム１０などとの間でネットワーク１６を介し送受信するための通信部３８を備えている。また、イベント会場端末１４は、通信部３８にて受信した投票促進メッセージをメッセージ表示手段３６に自動的に表示させるためのメッセージ表示処理部４０を備えている。ここで、イベント会場端末１４は必ずしもメッセージ表示処理部４０を備える必要はなく、例えば、システム１０の投票促進メッセージ送信部２４が、イベント会場のメッセージ表示手段３６の動作担当者に宛て、投票促進メッセージを添付したメッセージ表示依頼メールを送信し、メッセージ表示手段３６の動作担当者が当該依頼メールを受けて人手によりメッセージ表示手段３６に投票促進メッセージを表示させることなどとしてもよい。
【００２２】
また、イベント会場端末１４は、システム１０と同様、書き換え可能メモリなどのプログラムデータベースに格納されたプログラムをメモリに読み出し、演算装置たるＣＰＵにより実行することとすればよい。また、イベント会場端末１４は、コンピュータ装置が一般に備えているキーボード、ボタン類、ディスプレイなどの入出力インターフェースを備えている。また、必要に応じ、上記メッセージ表示処理部４０以外の各種機能部を備えている。メッセージ表示処理部４０を含めた各種機能部と通信部との間では、Ｉ／Ｏ部がデータのバッファリングや各種仲介処理を実行している。各種機能部は、ハードウェアとして実現してもよいし、メモリやＨＤＤ（Ｈａｒｄ  Ｄｉｓｋ  Ｄｒｉｖｅ）などの適宜な記憶装置に格納したプログラムとして実現することとしてもよい。後者の場合、ＣＰＵがプログラム実行に合わせて記憶装置より該当するプログラムをメモリに読み出して、これを実行することとなる。イベント会場端末１４が備えるメモリ、ＣＰＵ、投票受け受け入力部３２以外の入出力インターフェース、各種機能部、Ｉ／Ｏ部などは図示省略している。
【００２３】
次に、システム１０の各機能部１８〜２８について説明する。イベント情報登録処理部１８は、選挙投票日に開催される各種イベントの識別情報や当該各イベントに集まる客の属性情報などをデータの項目として含む選挙当日イベント情報を、イベント情報データベース４２に格納する処理を実行する。本実施形態にあっては、ユーザが、システム１０の入出力インターフェース１０ｃを介し、投票日に先立ってあらかじめ選挙当日イベント情報を入力し、イベント情報登録処理部１８はこの入力された情報を受けてイベント情報データベース４２に格納処理することとしている。
【００２４】
投票状況記録部２０は、各選挙会場へ投票に訪れた有権者の投票受付情報に基づき、当該投票受付情報をシステム１０が備える有権者情報データベース３０のデータと照合し、また、投票数や投票率などの投票状況情報を、投票状況データベース４４に、有権者の属性ごとに集計しつつ記録する。本実施形態における投票状況情報は、性別や年齢層など有権者の属性に加えて、選挙会場ごと、および投票時間帯ごとに、投票数や投票率などを集計したデータである。
【００２５】
投票促進対象者特定部２２は、上記記録された投票状況情報に基づき、投票促進が必要と判断された属性の有権者を、投票促進対象者として特定する処理を実行する。本実施形態における、投票促進対象者を特定する処理はより具体的には、有権者の属性ごとに記録される、投票促進を必要とする投票情況であるか否かの基準を示す促進閾値情報が格納された促進閾値データベース４６を参照し、当該促進閾値情報と投票状況情報とを比較処理することにより自動的に実行される。これにより、いちいちユーザが自身で投票状況情報の内容などに基づいて投票促進対象者を特定する必要がなく、選挙投票促進をより迅速かつ簡便に行うことが可能となる。
【００２６】
ここで、必ずしも本実施形態のように促進閾値データベース４６を設ける構成とする必要はなく、例えば、ディスプレイ画面にグラフ表示された投票状況情報に基づいて、ユーザが、投票状況が悪いと判断される属性の有権者を投票促進対象者として特定する指示を入力し、投票促進対象者特定部２２がこの指示入力を受けて当該属性の有権者を投票促進対象者として特定することとしてもよい。
【００２７】
また、投票促進対象者特定部２２は、本実施形態のように促進閾値データベース４６を参照しつつ投票促進対象者を特定するのではなく、例えば、有権者の属性ごとの、（ユーザ入力でなくてよい、むしろ実施形態のように投票状況データベース４４に自動的に蓄積されているほうが好ましい）前回以前の選挙投票時における過去投票状況情報が格納された過去投票状況データベース４４を参照し、当該過去投票状況情報と上記投票状況情報とを比較処理することにより特定することとしてもよい。あるいは、投票促進対象者特定部２２は、促進閾値データベース４６を参照しつつ投票促進対象者を特定する処理と、過去投票状況データベース４４を参照しつつ投票促進対象者を特定する処理との両方が可能なように構成しておくこととすれば、より好ましい。
【００２８】
本実施形態にあっては、処理フロー例にて詳述するように、過去投票状況データベース４４を参照しつつ過去投票状況情報と今回投票の投票状況情報とを比較する処理は、投票促進対象者特定部２２により自動的に処理されるのではなく、ディスプレイ画面を見ながらユーザが人手により行う、すなわちディスプレイ画面に過去投票状況情報と今回投票の投票状況情報の比較グラフなどを表示させて、ユーザが投票促進対象者を特定する際に参考とすることができるようになっている。
【００２９】
また、本実施形態にあっては、過去投票状況データベース４４は、投票状況データベース４４と兼用されている。すなわち、投票状況データベース４４には、前回以前の投票状況情報がすでに格納されている上に、今回の投票状況情報が格納されてゆくようになっている。
【００３０】
投票促進メッセージ送信部２４は、投票促進対象者が集まるイベントの会場に設けられたメッセージ表示手段３６に向けて、投票促進メッセージを送信し表示させる。投票促進メッセージとは例えば、「本日○月○日は○○選挙の投票日です。忘れずに一票を投票しましょう。」といったものであるが、この投票促進メッセージは、予めデータベースなどに登録しておいてもよいし、投票促進メッセージ送信部２４によるメッセージ送信処理の都度、ユーザが入力できるようにしてもよい。本実施形態にあっては上述のように、投票促進メッセージは、イベント会場端末１４の通信部およびメッセージ表示処理部４０を介して、メッセージ表示手段３６に表示される。
【００３１】
投票促進メッセージを送信すべきイベント、すなわち投票促進イベントは、例えば、ディスプレイ画面に表示されたイベント情報データベース４２の内容に基いて、ユーザが決定することとしてもよいが、本実施形態にあっては後述するように、投票促進イベント特定部２６により、自動的に特定することが可能な構成となっている。
【００３２】
また、本実施形態においては、投票促進メッセージ送信部２４による投票促進メッセージの送信処理は、選挙投票会場ごとに実行されるとともに、当該選挙投票会場の地域に該当するイベント会場のメッセージ表示手段３６に向けて送信される。これにより、ある選挙会場で投票促進対象者と特定された属性の有権者がより多く集まると予想されるイベント会場を、的確に投票促進メッセージ表示のターゲットとすることができ、投票促進活動を選挙会場単位でより効率的に行うことが可能となる。
【００３３】
投票促進イベント特定部２６は、投票促進対象者が集まるイベントを、イベント情報データベース４２に格納された、各イベントに集まる客の属性データ（図３に示す「集客属性データ」）を参照しつつ、投票促進イベントとして特定する。これにより、いちいちユーザが自身でイベント情報データベース４２の内容などを参照しつつ、投票促進イベントを特定する必要がないので、投票促進対象者への投票促進をより迅速かつ簡便に行うことが可能となる。
【００３４】
メッセージ送信勧告処理部２８は、投票促進イベントの会場に設けられたメッセージ表示手段３６に向けた、投票促進メッセージの送信勧告（例えば、「投票促進対象者である２０歳代男性有権者が多く集まるイベント会場Ａに投票促進メッセージを送信しますか」などといった表示）、および当該投票促進メッセージの送信処理ボタンをシステム１０のディスプレイ画面に表示する。
【００３５】
本実施形態にあっては上述のように、メッセージ送信勧告処理部２８を設けたことにより、いちいちユーザが、例えば、メール送受信ソフトウェアを起動してメッセージ表示依頼メールを作成し、イベント会場のメッセージ表示手段３６の動作担当者に向けて送信したりする必要がなく、投票促進対象者への投票促進をより迅速かつ簡便に行うことが可能となる。
【００３６】
システム１０と選挙会場端末１２やイベント会場端末１４をつなぐネットワーク１６としては、インターネット、ＬＡＮの他、ＡＴＭ回線や専用回線、ＷＡＮ（Ｗｉｄｅ  Ａｒｅａ  Ｎｅｔｗｏｒｋ）、電灯線ネットワーク、無線ネットワーク、公衆回線網、携帯電話網、シリアル・インターフェース通信線など様々なネットワーク１６を採用することも出来る。また、ＶＰＮ（Ｖｉｒｔｕａｌ  Ｐｒｉｖａｔｅ  Ｎｅｔｗｏｒｋ）など仮想専用ネットワーク技術を用いれば、インターネットを採用した際にセキュリティ性を高めた通信が確立され好適である。なお、前記シリアル・インターフェースは、単一の信号線を用いて１ビットずつ順次データを送るシリアル伝送で、外部機器と接続するためのインターフェースを指し、通信方式としてはＲＳ−２３２Ｃ、ＲＳ−４２２、ＩｒＤＡ、ＵＳＢ、ＩＥＥＥ１３９４、ファイバ・チャネルなどが想定できる。
【００３７】
−−−各種データベース−−−
次に、本実施形態におけるシステム１０が利用する各データベースの、より詳細な内容について説明する。図２は、有権者情報データベース３０のデータ構造の一例を示す図である。有権者情報データベース３０は、有権者に関する情報があらかじめ格納されたデータベースであり、選挙会場端末１２からシステム１０に送信される投票受付情報の内容を照合する際に使用される。例えば、有権者識別情報コードをキーとして、有権者の氏名、住所、年齢、性別、投票有無フラグといった情報を関連付けたレコードの集合体となっている。
【００３８】
図３は、イベント情報データベース４２のデータ構造の一例を示す図である。イベント情報データベース４２は、運動会や音楽コンサートなどといった選挙当日イベント情報が格納されたデータベースであり、例えば、イベント識別コードをキーとしてイベント会場、当該イベント会場の地域に該当する選挙投票会場、当該イベント会場のイベント会場端末１４への投票促進メッセージの送信方法（例えば、イベント会場のメッセージ表示手段３６の動作担当者宛にメールを自動的に作成し送信する、あるいは、イベント会場端末１４のメッセージ表示処理部４０により自動的にメッセージ表示手段３６に表示させるために予め定められた通信規約に準じた通信データを作成し送信する、など）、当該イベントに集まる有権者の属性（イベントの性質によって、必ずしも確定的に予測されるとは限らず、多く、あるいは少なくとも一人は集まる「見込み」であってもよい。また、必ずしも単一の属性の有権者が集まるとは限らず、複数の属性の有権者が集まることもある。）  といった情報を関連付けたレコードの集合体となっている。
【００３９】
選挙当日イベント情報の入力方法としては例えば、予め自治体などから入手した、イベントが実施可能なあらゆる会場（例えば、デパート、公園、遊園地、スキー場、幼稚園など）の一覧から、選挙投票日当日にイベントが実施されている会場を確認し、必要なデータの項目をシステム１０のインターフェース１０ｃを介して入力することとすればよい。
【００４０】
図４は、投票状況データベース４４のデータ構造の一例を示す図である。投票状況データベース４４は、投票受付情報に基づき、有権者の属性ごとの投票状況を集計しつつ格納するデータベースである。図示例にあっては、有権者の属性として、年齢層および性別の情報を、投票状況として、投票数および投票率（各属性の有権者ごとの、全体数に対する投票実行者数の割合）の情報を含むレコードの集合体となっている。さらに本実施形態にあっては、図４に示すように、各投票が行われた選挙投票会場の情報、および各投票が行われた時間帯の情報をも、投票受付情報から抽出して格納することとしている。
【００４１】
また、投票状況データベース４４には、有権者の複数の属性を合算した投票状況（例えば、男性全体、２０歳代全体、有権者全体など）を格納することとしてもよい。あるいは、このような合算処理は、必要に応じてシステム１０の各種機能部により実行されることとしてもよい。また、本実施形態では上述のように、投票状況データベース４４には、前回以前の過去投票状況情報をも蓄積しており、すなわち過去投票状況データベース４４と兼用となっている。
【００４２】
このように、本実施形態にあっては、投票状況データベース４４に記録される投票状況情報は、投票が行われた選挙投票会場の情報を項目として含み、かつ上述のように、イベント情報データベース４２に格納される選挙当日イベント情報は、イベントの会場地域に該当する選挙投票会場の情報を項目として含んでいる、さらに、上述のように、投票促進メッセージ送信部２４による投票促進メッセージの送信処理は、選挙投票会場ごとに実行されるとともに、当該選挙投票会場の地域に該当するイベント会場のメッセージ表示手段３６に向けて送信されることとしたので、ある選挙会場で投票促進対象者と特定された属性の有権者がより多く集まると予想されるイベント会場を、的確に投票促進メッセージ表示のターゲットとすることができ、投票促進活動を選挙会場単位でより効率的に行うことが可能となる。
【００４３】
図５は、促進閾値データベース４６のデータ構造の一例を示す図である。促進閾値データベース４６は、有権者の属性ごとに、投票促進を必要とする投票情況であるか否かの基準を示す促進閾値情報が格納されたデータベースであり、投票促進対象者特定部２２による投票促進対象者を特定する処理において使用される。例えば、有権者の属性、促進閾値の項目、促進閾値などといった情報を含めたレコードの集合体となっている。図５の例では、促進閾値を表す数値として、投票率を使用しているが、投票数などその他の投票状況データを使用することも可能である。
【００４４】
促進閾値データベース４６における有権者の属性は、複数の属性を合算した項目を含んでいてもよい。例えば図５では、「男性全体」という複数の属性（複数の年齢層）を合算した有権者についての促進閾値を定めて格納している。この例では、男性有権者全体の投票率が、女性有権者全体の投票率を１５％以上下回ると、男性有権者全体が投票促進対象者として特定される。
【００４５】
−−−処理の実際−−−
以下、本実施形態における選挙投票促進支援方法の実際手順について、図に基づき説明する。なお、以下で説明する選挙投票促進支援方法に対応する各種動作は、システム１０がメモリに読み出して実行するプログラムによって実現される。そして、このプログラムは、以下に説明される各種の動作を行うためのコードから構成されている。また、選挙会場端末１２やイベント会場端末１４にて実行される処理については、選挙会場端末１２やイベント会場端末１４がメモリに読み出して実行するプログラムによって実現される。そして、これらのプログラムは、以下に説明される各種の動作を行うためのコードから構成されている。
【００４６】
−−−処理フロー例１−−−
図６は、本実施形態の選挙投票促進支援方法の、実施手順例１を示すフロー図である。ここではまず、選挙会場における投票受付処理と、それに伴う投票状況の記録処理について説明する。選挙会場端末１２にて、投票に訪れた有権者の投票受付処理を実行すると（Ｓ１００）、選挙会場端末１２は入力された投票受付情報をシステム１０へと送信する（Ｓ１０２）。システム１０はこれを受信し（Ｓ１０４）、まず、有権者情報データベース３０を参照して当該投票会場に所属する有権者であるか否かの照合を行う（Ｓ１０６）。該当する有権者でなかった場合（Ｓ１０６：ＮＯ）には、エラー情報を生成し受付結果送信処理（Ｓ１１２）に引き継ぐ。該当する有権者である場合（Ｓ１０６：ＹＥＳ）には、有権者情報データベース３０の投票有無フラグを投票済みと記録することにより、有権者情報データベース３０を更新する（Ｓ１０８）。
【００４７】
続いてシステム１０は、投票受付情報や有権者情報データベース３０から必要な情報を抽出し、投票状況データベース４４に、有権者の属性、投票会場、投票時間帯などのカテゴリごとに、投票状況（投票数や投票率など）を集計しつつ記録してゆく（Ｓ１１０）。次にシステム１０は、受付結果、すなわち、上記エラー情報、あるいは正しく照合されて投票状況データベース４４などが更新されたことを示す情報を、選挙会場端末１２に送信する（Ｓ１１２）。選挙会場端末１２はこれを受信し（Ｓ１１４）、受付結果をディスプレイ装置などに表示する（Ｓ１１６）。
【００４８】
選挙会場端末１２は、次の有権者の投票受付処理を行うか否かを判断し（Ｓ１１８）、続けて次の有権者の投票受付処理を行う場合（Ｓ１１８：ＮＯ）には、ステップＳ１００からの処理を繰り返す。最後の有権者の受付が終了した場合などに、ユーザからの処理終了指示があった場合には、投票受付処理は終了と判断し（Ｓ１１８：ＹＥＳ）、処理を終了する。システム１０では、選挙会場端末１２のステップＳ１１８の判断を受けて、同様に、次の有権者の投票受付処理を行うか否かを判断し（Ｓ１２０）、続けて次の有権者の投票受付処理を行う場合（Ｓ１２０：ＮＯ）には、ステップＳ１０４からの処理を繰り返す。ユーザからの処理終了指示があった場合などには、投票受付処理は終了と判断し（Ｓ１２０：ＹＥＳ）、処理を終了する。
【００４９】
−−−処理フロー例２−−−
図７は、本実施形態の選挙投票促進支援方法の、実施手順例２を示すフロー図である。ここでは、イベント情報データベース４２の更新処理、および促進閾値データベース４６の更新処理について説明する。システム１０にアクセスし、まずイベント情報データベース４２の更新処理を開始したユーザは、あらかじめ確認した投票日当日に開催される各種イベントの、イベント識別情報や集客属性情報を含む選挙当日イベント情報を入力する（Ｓ２００）。その後、システム１０は、ユーザが入力する処理終了情報の有無をもってイベント情報データベース４２の更新処理を続行するか否かを判断し（Ｓ２０２）、続けて更新処理を行う場合（Ｓ２０２：ＮＯ）には、ステップＳ２００の処理を繰り返す。更新処理を終了する場合（Ｓ２０２：ＹＥＳ）には、続けて、促進閾値データベース４６の更新処理を開始する。促進閾値データベース４６の更新処理では、ユーザが、あらかじめ定めた各種の促進閾値情報を入力する（Ｓ２０４）。その後、システム１０は、ユーザが入力する処理終了情報の有無をもって促進閾値データベース４６の更新処理を続行するか否かを判断し（Ｓ２０６）、続けて更新処理を行う場合（Ｓ２０６：ＮＯ）には、ステップＳ２０４の処理を繰り返す。更新処理を終了する場合（Ｓ２０６：ＹＥＳ）には、処理を終了する。
【００５０】
本実施形態の例では、イベント情報データベース４２の更新処理と促進閾値データベース４６の更新処理とを続けて行うこととしたが、両者は別個独立に行うこととしてもよい。
【００５１】
−−−処理フロー例３−−−
図８は、本実施形態の選挙投票促進支援方法の、実施手順例３を示すフロー図である。ここでは、選挙の投票促進活動担当者などがユーザとなり、実施手順例１において記録された投票状況情報をシステム１０のディスプレイ画面に表示させる処理から、投票促進を行うまでの処理について説明する。
【００５２】
ユーザがシステム１０にアクセスし、投票状況情報の画面表示要求を入力すると、システム１０はこれを受けて図９に示すような投票状況分析画面を表示する（Ｓ３００）。投票状況分析画面には、各種投票状況を棒グラフなどにより視覚的に表示する投票状況グラフ表示部５０、投票状況グラフ表示部５０に表示させるグラフの表示項目（性別や年齢層などの有権者属性に加え、投票会場、投票時間帯など）をプルダウンメニューにより選択する表示項目入力部５２、現在の投票状況グラフの表示項目を示す項目表示部５４、および各種投票促進メッセージの送信勧告および送信処理ボタンが表示された送信勧告表示部５６などが設けられている。
【００５３】
ユーザが所望の投票状況グラフを表示させるべく、表示項目入力部５２より表示項目の選択入力を行うと、システム１０はこの情報を取得し（Ｓ３０２）、該当する表示項目からなる投票状況グラフを編集し表示する（Ｓ３０４）。図９の例では、Ａ投票会場における、午前９時から１０時までの投票時間帯の、全年齢層かつ両性別の有権者の投票率を表示させている。また、各年齢層および性別ごと棒グラフに重ねて、全年齢層および性別の有権者の投票率の平均値を表示している。投票状況分析画面の投票状況グラフは、図９の例以外にも、グラフの表示項目である会場、投票時間帯、有権者の年齢層および性別などを様々に組み合わせて表示させることができるとともに、視覚的にわかりやすいグラフ表示であるので、ユーザは一目瞭然に投票状況を把握することが可能である。
【００５４】
次に、本実施形態では、システム１０の投票促進対象者特定部２２が、促進閾値データベース４６を参照（Ｓ３０６）しつつ自動的に投票促進対象者を特定する（Ｓ３０８）。ここで、投票状況グラフ上において、特定された投票促進対象者がわかるように表示することとすれば好ましい。図９の例では、投票促進対象者として特定された、５０歳代の女性を示す棒グラフが色分け表示されている。
【００５５】
次に、本実施形態では、ユーザが参考とするために前回投票時における過去投票状況と今回の投票状況とを比較するグラフを表示させる「前回比較処理」を実行することとする。それには、システム１０は、ユーザが表示項目入力部５２の「前回比較」プルダウンメニューより入力する前回比較指示の有無をもって、前回の過去投票状況と今回の投票状況との比較グラフを表示するか否かを判断し（Ｓ３１０）、前回比較の指示が無かった場合（Ｓ３１０：ＮＯ）には、投票促進対象者があるか否かの判断処理（Ｓ３１６）に引き継ぐ。前回比較指示があった場合（Ｓ３１０：ＹＥＳ）には、過去投票状況データベース４４（本実施形態では投票状況データベース４４と兼用）にアクセスし（Ｓ３１２）、前回との比較グラフを投票状況グラフ表示部５０に表示する（Ｓ３１４）。
【００５６】
次にシステム１０は、投票促進対象者があるか否かの判断処理（Ｓ３１６）を実行する。ステップＳ３０８において特定された投票促進対象者が無かった場合、すなわち現時点で投票促進を必要とする属性の有権者が無いと判断された場合（Ｓ３１６：ＮＯ）は、さらに別の投票状況グラフを表示させるためにユーザが入力する表示項目の選択指示を受け付ける（Ｓ３１８）。ステップＳ３１８で、新たな表示項目の選択入力があった場合（Ｓ３１８：ＹＥＳ）は、ステップＳ３０２からの処理を繰り返す。新たな表示項目の選択入力がない場合（Ｓ３１８：ＮＯ）は、ユーザが入力する処理終了情報をもって処理を終了する。
【００５７】
ステップＳ３１６の判断処理において、ステップＳ３０８において特定された投票促進対象者があった場合（Ｓ３１６：ＹＥＳ）は、システム１０の投票促進イベント特定部２６が、投票促進イベントを特定する処理を実行する（Ｓ３２０）。
【００５８】
次にシステム１０は、ステップＳ３２０で特定された投票促進イベントへの投票促進メッセージの送信勧告５８および当該投票促進メッセージの送信処理ボタン６０を投票状況分析画面の送信勧告表示部５６に表示する（Ｓ３２２）。図９の例では、「イベント会場Ａに送信」という送信勧告５８がひとつだけ表示されており、当該送信勧告５８に対応する送信処理ボタン６０が当該送信勧告５８のすぐ右に並んで表示されている。送信勧告５８および対応する送信処理ボタン６０は複数表示される場合もある。
【００５９】
次にシステム１０は、ユーザによる送信処理ボタン６０の押し下げの有無をもって、投票促進メッセージの送信処理を実行するか否かを判断し（Ｓ３２４）、送信処理指示が無かった場合（Ｓ３２４：ＮＯ）には、新たな表示項目の選択入力を受け付けるか、処理を終了するかを判断する処理（Ｓ３３２）に引き継ぐ。ステップＳ３２４において送信処理指示があった場合（Ｓ３２４：ＹＥＳ）には、当該投票促進イベントへのメッセージ送信方法などの情報を取得すべく、イベント情報データベース４２にアクセスする（Ｓ３２６）。
【００６０】
次に、本実施形態では、ユーザが投票促進メッセージを投票促進イベントごとに自由に決定できることとして、システム１０が、ユーザにより入力される投票促進メッセージを受け付ける（Ｓ３２８）。次に、ステップＳ３２８で入力された投票促進メッセージを、システム１０の投票促進メッセージ送信部２４が、投票促進イベントの会場に設けられたメッセージ表示手段３６に向けて送信する（Ｓ３３０）。
【００６１】
その後、システム１０は、新たな表示項目の選択入力を受け付けるか、処理を終了するかを判断する（Ｓ３３２）。新たな表示項目を選択することにより、別の投票状況グラフを表示させる処理から繰り返す場合（Ｓ３３２：ＮＯ）には、ステップＳ３０２からの処理を繰り返す。処理を終了する場合（Ｓ３３２：ＹＥＳ）には、処理を終了する。
【００６２】
本発明によれば、個々の有権者を特定することなく、効果的に選挙投票を促進することが可能となる。特に、まず、システム１０により自動的に、かつ視覚的に分析処理・表示された投票状況を、ユーザはディスプレイ画面上で確認することができるので非常に効果的である。さらにその分析は、個々の有権者を特定することなく、年齢層や性別といった有権者の属性ごとに包括的に実行され、かつシステムにより自動的に行われるので非常に効果的である。さらに、投票促進が必要と特定された属性の有権者、すなわち投票促進対象者の全体を対象にしつつ、当該投票促進対象者が集まるイベント会場のメッセージ表示手段３６に向けて投票促進メッセージを送信するだけで投票促進活動を実行することができるので、投票促進活動に対する人的コストはほとんど要しないにもかかわらず効果的に投票促進を行うことが可能となるため、有利である。
【００６３】
以上、本発明の実施の形態について、その実施の形態に基づき具体的に説明したが、これに限定されるものではなく、その要旨を逸脱しない範囲で種々変更可能である。
【図面の簡単な説明】
【００６４】
【図１】本実施形態における選挙投票促進支援システムを含むネットワーク構成図である。
【図２】本実施形態の有権者情報データベースのデータ構造例を示す図である。
【図３】本実施形態のイベント情報データベースのデータ構造例を示す図である。
【図４】本実施形態の投票状況データベースのデータ構造例を示す図である。
【図５】本実施形態の促進閾値データベースのデータ構造例を示す図である。
【図６】本実施形態のシステムにおける実施手順例１を示すフロー図である。
【図７】本実施形態のシステムにおける実施手順例２を示すフロー図である。
【図８】本実施形態のシステムにおける実施手順例３を示すフロー図である。
【図９】上記実施手順例３における投票状況分析画面を示す図である。
【符号の説明】
【００６５】
１０  選挙投票促進支援システム
１８  イベント情報登録処理部
２０  投票状況記録部
２２  投票促進対象者特定部
２４  投票促進メッセージ送信部
２６  投票促進イベント特定部
２８  メッセージ送信勧告処理部
３６  メッセージ表示手段
４２  イベント情報データベース
４４  投票状況データベース（過去投票状況データベース）
４６  促進閾値データベース
５８  送信勧告
６０  送信処理ボタン
１２６  設計用部品表
【図１】
2007164333.tif 000003
【図２】
2007164333.tif 000004
【図３】
2007164333.tif 000005
【図４】
2007164333.tif 000006
【図５】
2007164333.tif 000007
【図６】
2007164333.tif 000008
【図７】
2007164333.tif 000009
【図８】
2007164333.tif 000010
【図９】
2007164333.tif 000011